(57)【要約】【課題】  天井の低い下水道等であっても、越流堰に除塵スクリーンを設置できるようにする。【解決手段】  下水道１の雨水吐き室２等に設けられた越流堰７の上部に除塵スクリーン８が設置され、この除塵スクリーン８は、越流堰７の上部から上後方の待避位置Ｅに円弧スライド移動できるように移動機構１２Ａで支持されている。【選択図】  図２
2005030159.tif 000002
【特許請求の範囲】
【請求項１】
取水口に設けられた越流堰の上部に除塵スクリーンが設置され、この除塵スクリーンは、越流堰の上部から待避位置に移動できるように、移動機構で支持されていることを特徴とする越流堰における移動式除塵スクリーン。
【請求項２】
上記移動機構は、除塵スクリーンを越流堰の上後方の待避位置に円弧スライド移動させる請求項１記載の越流堰における移動式除塵スクリーン。
【請求項３】
上記移動機構は、除塵スクリーンを越流堰の真上の待避位置に上スライド移動させる請求項１記載の越流堰における移動式除塵スクリーン。
【請求項４】
上記移動機構は、除塵スクリーンを越流堰の真横後方の待避位置に横スイング移動させる請求項１記載の越流堰における移動式除塵スクリーン。
【請求項５】
上記移動機構は、除塵スクリーンを越流堰の真上後方の待避位置に上フラップ移動させる請求項１記載の越流堰における移動式除塵スクリーン。
【請求項６】
上記移動機構は、除塵スクリーンを越流堰の真横側方の待避位置に横スライド移動させる請求項１記載の越流堰における移動式除塵スクリーン。
【請求項７】
上記移動機構は、除塵スクリーンを越流堰の下後方の待避位置に後転倒移動させる請求項１記載の越流堰における移動式除塵スクリーン。
【請求項８】
上記移動機構は、除塵スクリーンを越流堰の真下の待避位置に下スライド移動させる請求項１記載の越流堰における移動式除塵スクリーン。
【請求項９】
上記移動機構は、除塵スクリーンを越流堰の真後ろの待避位置に後スライド移動させる請求項１記載の越流堰における移動式除塵スクリーン。
【発明の詳細な説明】
【技術分野】
【０００１】
本発明は、越流堰における移動式除塵スクリーンに関する。
【背景技術】
【０００２】
従来、分流式または合流式の下水道に設けられた越流堰の上部に除塵スクリーンが設置されたものがある（例えば、特許文献１参照）。
【０００３】
この除塵スクリーンは、下水道のごみが河川に放流されるのを防止するものであって、目詰まりする前に、掻き取り歯でごみを掻き落とすようになっている。
【０００４】
ところで、除塵スクリーンの上部と下水道の天井との間には、関係法令によって、計画放水量の全量が越流（オーバーフロー）できる非常時越流高さを確保しておく必要がある。なお、越流堰の上部と天井との間には、本来の越流空間が確保されている。
【特許文献１】特許第２９０９７１８号公報
【発明の開示】
【発明が解決しようとする課題】
【０００５】
しかしながら、掻き取り歯が故障したり、動力源が絶たれた場合等、ごみの掻き落としができないので、除塵スクリーンが目詰まりする。
【０００６】
この結果、目詰まりした除塵スクリーンが堰と化するので、下水道の上流側の水位が上昇してマンホール等から下水が溢れだすという不具合がある。
【０００７】
このため、除塵スクリーンが目詰まりして堰と化した場合でも、非常時越流高さを確保できるほど天井の高い下水道でなければ、越流堰の上部に除塵スクリーンを設置できないという問題があった。
【０００８】
本発明は、上記問題を解消するためになされたもので、天井の低い下水道等であっても、越流堰に除塵スクリーンを設置できるようにした越流堰における移動式除塵スクリーンを提供することを課題とするものである。
【課題を解決するための手段】
【０００９】
上記課題を解決するために、本発明は、取水口に設けられた越流堰の上部に除塵スクリーンが設置され、この除塵スクリーンは、越流堰の上部から待避位置に移動できるように、移動機構で支持されていることを特徴とする越流堰における移動式除塵スクリーンを提供するものである。
【００１０】
請求項２のように、上記移動機構は、除塵スクリーンを越流堰の上後方の待避位置に円弧スライド移動させる構成とすることが好ましい。
【００１１】
請求項３のように、上記移動機構は、除塵スクリーンを越流堰の真上の待避位置に上スライド移動させる構成とすることが好ましい。
【００１２】
請求項４のように、上記移動機構は、除塵スクリーンを越流堰の真横後方の待避位置に横スイング移動させる構成とすることが好ましい。
【００１３】
請求項５のように、上記移動機構は、除塵スクリーンを越流堰の真上後方の待避位置に上フラップ移動させる構成とすることが好ましい。
【００１４】
請求項６のように、上記移動機構は、除塵スクリーンを越流堰の真横側方の待避位置に横スライド移動させる構成とすることが好ましい。
【００１５】
請求項７のように、上記移動機構は、除塵スクリーンを越流堰の下後方の待避位置に後転倒移動させる構成とすることが好ましい。
【００１６】
請求項８のように、上記移動機構は、除塵スクリーンを越流堰の真下の待避位置に下スライド移動させる構成とすることが好ましい。
【００１７】
請求項９のように、上記移動機構は、除塵スクリーンを越流堰の真後ろの待避位置に後スライド移動させる構成とすることが好ましい。
【発明の効果】
【００１８】
本発明によれば、取水口の越流堰の上部に設置した除塵スクリーンを、移動機構によって越流堰の上部から待避位置に移動させるから、待避時に、越流堰の位置において本来の越流空間を確保できるので、天井の低い下水道等であっても、越流堰の上部に除塵スクリーンを設置できるようになる。
【００１９】
請求項２のように、除塵スクリーンを越流堰の上後方の待避位置に円弧スライド移動させる構成であると、越流堰の側方スペースが狭い場合にも設置できるようになる。また、待避時に、越流堰の位置において越流長全幅と本来の越流空間とを確保できるから、流路面積の減少を抑えることができる。
【００２０】
請求項３のように、除塵スクリーンを越流堰の真上の待避位置に上スライド移動させる構成であると、越流堰の側方および後方スペースが狭い場合にも設置できるようになる。また、待避時に、越流堰の位置において越流長全幅と本来の越流空間とを確保できるから、流路面積の減少を抑えることができる。さらに、除塵スクリーンを地上まで引き上げるようにすれば、メンテナンスを地上で行えるようになる。
【００２１】
請求項４のように、除塵スクリーンを越流堰の真横後方の待避位置に横スイング移動させる構成であると、越流堰の上方および側方スペースが狭い場合にも設置できるようになる。また、除塵スクリーンの一側部を下水道の一側壁にヒンジ止めし、他側部を下水道の他側壁に係止するだけで良いから、係止解除機構が簡単になる。さらに、下水道の水圧を利用して除塵スクリーンを待避位置に横スイング移動させることも可能になる。
【００２２】
請求項５のように、除塵スクリーンを越流堰の真上後方の待避位置に上フラップ移動させる構成であると、越流堰の側方スペースが狭い場合にも設置できるようになる。また、除塵スクリーンの上部を下水道の天井にヒンジ止めし、下部を越流堰に係止するだけで良いから、係止解除機構が簡単になる。さらに、下水道の水圧を利用して除塵スクリーンを待避位置に上フラップ移動させることも可能になる。
【００２３】
請求項６のように、除塵スクリーンを越流堰の真横側方の待避位置に横スライド移動させる構成であると、越流堰の上方および後方スペースが狭い場合にも設置できるようになる。また、待避時に、越流堰の位置において越流長全幅と本来の越流空間とを確保できるから、流路面積の減少を抑えることができる。
【００２４】
請求項７のように、除塵スクリーンを越流堰の下後方の待避位置に後転倒移動させる構成であると、越流堰の上方および側方スペースが狭い場合にも設置できるようになる。また、待避時に、越流堰の位置において越流長全幅と本来の越流空間とを確保できるから、流路面積の減少を抑えることができる。さらに、下水道の水圧を利用して除塵スクリーンを待避位置に後転倒移動させることも可能になる。
【００２５】
請求項８のように、除塵スクリーンを越流堰の真下の待避位置に下スライド移動させる構成であると、越流堰の上方および後方スペースが狭い場合にも設置できるようになる。また、待避時に、越流堰の位置において越流長全幅と本来の越流空間とを確保できるから、流路面積の減少を抑えることができる。さらに、除塵スクリーンは、その自重を利用して待避位置に下スライド移動させることも可能になる。
【００２６】
請求項９のように、除塵スクリーンを越流堰の真後ろの待避位置に後スライド移動させる構成であると、越流堰の上方および側方スペースが狭い場合にも設置できるようになる。また、待避時に、越流堰の位置において越流長全幅と本来の越流空間とを確保できるから、流路面積の減少を抑えることができる。さらに、下水道の水圧を利用して除塵スクリーンを待避位置に後スライド移動させることも可能になる。
【発明を実施するための最良の形態】
【００２７】
以下、本発明を実施するための最良の形態について、図面を参照しながら詳細に説明する。
【実施例１】
【００２８】
図１（ａ）は合流式下水道１の平面図、（ｂ）は（ａ）のＡ−Ａ線断面図であって、合流式下水道１には、雨水吐き室２が設けられ、この雨水吐き室２には、下水流入管３と雨水流入管４と放流管５と遮集管６とが繋がっているとともに、取水口である放流管５との間には放流用越流堰７が設けられ、この越流堰７の上部に除塵スクリーン８が設置されている。
【００２９】
そして、通常時は、雨水吐き室２で合流した下水と雨水とが遮集管６を通って下水処理場に送られるとともに、降雨等によって水位が上昇して越流堰７をオーバーフローすると、ごみが取り除かれながら除塵スクリーン８を通り抜け、放流管５を通って河川等に放流されるようになる。
【００３０】
上記除塵スクリーン８には、上下方向に多段で横向きに延在するバースクリーン９が設けられ、このバースクリーン９の各隙間には、油圧シリンダー１０で往復駆動される掻き取り歯１１が挿入されて、この掻き取り歯１１により、バースクリーン９からごみを掻き落とすようになっている。この掻き落とされたごみは、下水と雨水とともに遮集管６を通って下水処理場に送られるようになる。
【００３１】
上記越流堰７の上部と下水道１の一部である雨水吐き室２の天井２ａとの間には、本来の越流空間Ｈが確保されているが、除塵スクリーン８の上部と天井２ａとの間に非常時越流高さＨ´が確保できないときには、越流堰７の上部の設置位置Ｄから越流堰７からの越流（オーバーフロー）に支障が生じにくい待避位置Ｅ（図２参照）に移動できるように、除塵スクリーン８を移動機構１２Ａ〜１２Ｈで支持する必要がある。
【００３２】
そこで、図２および図１０に示すように、第１実施例の移動機構１２Ａは、除塵スクリーン８を設置位置Ｄから越流堰７の上後方の待避位置Ｅに円弧スライド移動させるようになっている。
【００３３】
具体的には、雨水吐き室２の両側壁２ｂに、越流堰７の上部から上後方に湾曲する左右一対の円弧状ガイドレール１３をそれぞれ取付けるとともに、除塵スクリーン８の両側部に、各ガイドレール１３でガイドされる上下一対のローラ１４をそれぞれ取付ける。これにより、除塵スクリーン８は、設置位置Ｄと待避位置Ｅとの間を円弧スライド移動できるようになる。
【００３４】
図１０に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを天井２側でカウンターウエイト１８に連結する。また、ワイヤーロープ１６の途中部分に除塵スクリーン８の上部を連結する。
【００３５】
そして、除塵スクリーン８の掻き取り歯１１が故障したり、停電で掻き取り歯１１の油圧シリンダー１０が駆動されなくなると、除塵スクリーン８が目詰まりする。
【００３６】
そこで、除塵スクリーン８の目詰まりの前兆（故障や停電）をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の上後方の待避位置Ｅにスライド移動されるようになる。
【００３７】
このように、第１実施例の除塵スクリーン８は、移動機構１２Ａによって、越流堰７の上部の設置位置Ｄから越流堰７の上後方の待避位置Ｅに円弧スライド移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００３８】
また、第１実施例の移動機構１２Ａであれば、越流堰７の側方スペースが狭い場合にも設置できるようになる。さらに、待避時に、越流堰７の位置において越流長全幅Ｗ〔図１（ａ）参照〕と本来の越流空間Ｈとを確保できるから、流路面積の減少を抑えることができる。
【実施例２】
【００３９】
図３および図１１に示すように、第２実施例の移動機構１２Ｂは、除塵スクリーン８を設置位置Ｄから越流堰７の真上の待避位置Ｅに上スライド移動させるようになっている。
【００４０】
具体的には、雨水吐き室２の両側壁２ｂに、越流堰７の上部から上方に延在する左右一対の直線状ガイドレール１９をそれぞれ取付けるとともに、除塵スクリーン８の両側部を各ガイドレール１９に嵌め込んでガイドされるようにする。これにより、除塵スクリーン８は、設置位置Ｄと待避位置Ｅとの間を上下スライド移動できるようになる。
【００４１】
図１１に示したように、雨水吐き室２の天井２ａから上方に突出した突出部２ｃの周壁２ｄに油圧シリンダー１５を取付けて、この油圧シリンダー１５のピストンロッド１５ａにカウンターウエイト１８を連結するとともに、このカウンターウエイト１８にワイヤーロープ１６の一端部１６ａを連結するとともに、このワイヤーロープ１６を適当な位置のプーリ１７に掛け回して、他端部１６ｂを除塵スクリーン８の上部に連結する。
【００４２】
そして、除塵スクリーン８の目詰まりの前兆をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の真上の待避位置Ｅに上スライド移動されるようになる。
【００４３】
このように、第２実施例の除塵スクリーン８は、移動機構１２Ｂによって、越流堰７の上部の設置位置Ｄから越流堰７の上方の待避位置Ｅに上スライド移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００４４】
また、第２実施例の移動機構１２Ｂであれば、越流堰７の側方および後方スペースが狭い場合にも設置できるようになる。さらに、待避時に、越流堰７の位置において越流長全幅Ｗと本来の越流空間Ｈとを確保できるから、流路面積の減少を抑えることができる。さらにまた、除塵スクリーン８を地上２０まで引き上げるようにすれば、メンテナンスを地上２０で行えるようになる。
【実施例３】
【００４５】
図４および図１２に示すように、第３実施例の移動機構１２Ｃは、除塵スクリーン８を設置位置Ｄから越流堰７の真横後方の待避位置Ｅに横スイング移動させるようになっている。
【００４６】
具体的には、雨水吐き室２の一方の側壁２ｂに、除塵スクリーン８の一側部をヒンジ金具２２で連結する。これにより、除塵スクリーン８は、設置位置Ｄと待避位置Ｅとの間を横スイング移動できるようになる。
【００４７】
図１２（ｂ）に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを天井２側でカウンターウエイト１８に連結する。また、図１２（ａ）に示したように、ワイヤーロープ１６の途中部分に除塵スクリーン８の他側部８ａを連結する。
【００４８】
そして、除塵スクリーン８の目詰まりの前兆をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の真横後方の待避位置Ｅに横スイング移動されるようになる。
【００４９】
このように、第３実施例の除塵スクリーン８は、移動機構１２Ｃによって、越流堰７の上部の設置位置Ｄから越流堰７の真横後方の待避位置Ｅに横スイング移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００５０】
また、第３実施例の移動機構１２Ｃであれば、越流堰７の上方および側方スペースが狭い場合にも設置できるようになる。また、除塵スクリーン８の一側部を雨水吐き室２の一側壁２ｂにヒンジ金具２２でヒンジ止めし、他側部８ａを雨水吐き室２の他側壁２ｂに係止するだけで良いから、係止解除機構が簡単になる。さらに、下水道１の水圧を利用して除塵スクリーン８を待避位置Ｅに横スイング移動させることも可能であるから、カウンターウエイト１８を省略することもできる。
【実施例４】
【００５１】
図５および図１３に示すように、第４実施例の移動機構１２Ｄは、除塵スクリーン８を設置位置Ｄから越流堰７の真上後方の待避位置Ｅに上フラップ移動させるようになっている。
【００５２】
具体的には、雨水吐き室２の天井２ａに、除塵スクリーン８の上延長部８ｂをヒンジ金具２２で連結する。これにより、除塵スクリーン８は、設置位置Ｄと待避位置Ｅとの間を上フラップ移動できるようになる。
【００５３】
図１３に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを天井２側でカウンターウエイト１８に連結する。また、ワイヤーロープ１６の途中部分に除塵スクリーン８の上部を連結する。
【００５４】
そして、除塵スクリーン８の目詰まりの前兆をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の真上後方の待避位置Ｅに上フラップ移動されるようになる。
【００５５】
このように、第４実施例の除塵スクリーン８は、移動機構１２Ｄによって、越流堰７の上部の設置位置Ｄから越流堰７の真上後方の待避位置Ｅに上フラップ移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００５６】
また、第４実施例の移動機構１２Ｄであれば、越流堰７の側方スペースが狭い場合にも設置できるようになる。また、除塵スクリーン８の上部を雨水吐き室２の天井２ａにヒンジ金具２２でヒンジ止めし、下部を越流堰７に係止するだけで良いから、係止解除機構が簡単になる。さらに、下水道１の水圧を利用して除塵スクリーン８を待避位置Ｅに上フラップ移動させることも可能であるから、カウンターウエイト１８を省略することもできる。
【実施例５】
【００５７】
図６および図１４に示すように、第５実施例の移動機構１２Ｅは、除塵スクリーン８を設置位置Ｄから越流堰７の真横側方の待避位置Ｅに横スライド移動させるようになっている。
【００５８】
具体的には、越流堰７の上部に側方に延在する左右一対のレール２３をそれぞれ取付けるとともに、除塵スクリーン８の下部の車輪２４がレール２３でガイドされるようにする。これにより、除塵スクリーン８は、設置位置Ｄと待避位置Ｅとの間を横スライド移動できるようになる。
【００５９】
図１４に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを天井２側でカウンターウエイト１８に連結する。また、ワイヤーロープ１６の途中部分に除塵スクリーン８の上部を連結する。
【００６０】
そして、除塵スクリーン８の目詰まりの前兆をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の真横側方の待避位置Ｅに横スライド移動されるようになる。
【００６１】
このように、第５実施例の除塵スクリーン８は、移動機構１２Ｅによって、越流堰７の上部の設置位置Ｄから越流堰７の真横側方の待避位置Ｅにスライド移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００６２】
また、第５実施例の移動機構１２Ｅであれば、越流堰７の上方および後方スペースが狭い場合にも設置できるようになる。また、待避時に、越流堰７の位置において越流長全幅Ｗと本来の越流空間Ｈとを確保できるから、流路面積の減少を抑えることができる。
【実施例６】
【００６３】
図７および図１５に示すように、第６実施例の移動機構１２Ｆは、除塵スクリーン８を設置位置Ｄから越流堰７の下後方の待避位置Ｅに後転倒移動させるようになっている。
【００６４】
具体的には、越流堰７の後下部に、除塵スクリーン８の下延長部８ｃをヒンジ金具２２で連結する。これにより、除塵スクリーン８は、設置位置Ｄと待避位置Ｅとの間を前後転倒移動できるようになる。
【００６５】
図１５に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを除塵スクリーン８の上部に連結する。
【００６６】
そして、除塵スクリーン８の目詰まりの前兆をセンサー等で検知すると、油圧ユニット３０の開閉弁等が開かれて油圧シリンダー１５のピストンロッド１５ａが往動可能となり、下水道１の水圧で除塵スクリーン８が越流堰７の下後方の待避位置Ｅに後転倒移動されるようになる。
【００６７】
このように、第６実施例の除塵スクリーン８は、移動機構１２Ｆによって、越流堰７の上部の設置位置Ｄから越流堰７の下後方の待避位置Ｅに後転倒移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００６８】
また、第６実施例の移動機構１２Ｆであれば、越流堰７の上方および側方スペースが狭い場合にも設置できるようになる。また、除塵スクリーン８の下延長部８ｃを越流堰７の後下部にヒンジ金具２２でヒンジ止めし、下部を越流堰７に係止するだけで良いから、係止解除機構が簡単になる。さらに、待避時に、越流堰７の位置において越流長全幅Ｗと本来の越流空間Ｈとを確保できるから、流路面積の減少を抑えることができる。
【実施例７】
【００６９】
図８および図１６に示すように、第７実施例の移動機構１２Ｇは、除塵スクリーン８を設置位置Ｄから越流堰７の真下の待避位置Ｅに下スライド移動させるようになっている。
【００７０】
具体的には、雨水吐き室２の両側壁２ｂに、越流堰７の直ぐ後ろで上下方向に延在する左右一対の直線状ガイドレール１９をそれぞれ取付けるとともに、除塵スクリーン８の両側部を各ガイドレール１９に嵌め込んでガイドされるようにする。これにより、除塵スクリーン８は、設置位置Ｄと待避位置Ｅとの間を上下スライド移動できるようになる。
【００７１】
図１６に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを除塵スクリーン８の上部に連結する。
【００７２】
そして、除塵スクリーン８の目詰まりの前兆をセンサー等で検知すると、油圧ユニット３０の開閉弁等が開かれて油圧シリンダー１５のピストンロッド１５ａが往動可能となり、除塵スクリーン８の自重でワイヤーロープ１６が引っ張られながら、除塵スクリーン８が越流堰７の真下の待避位置Ｅに下スライド移動されるようになる。
【００７３】
このように、第７実施例の除塵スクリーン８は、移動機構１２Ｇによって、越流堰７の上部の設置位置Ｄから越流堰７の真下の待避位置Ｅに下スライド移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００７４】
また、第７実施例の移動機構１２Ｇであれば、越流堰７の上方および後方スペースが狭い場合にも設置できるようになる。さらに、待避時に、越流堰７の位置において越流長全幅Ｗと本来の越流空間Ｈとを確保できるから、流路面積の減少を抑えることができる。また、除塵スクリーン８は、その自重を利用して待避位置Ｅにスライド移動させることも可能になる。
【実施例８】
【００７５】
図９および図１７に示すように、第８実施例の移動機構１２Ｈは、除塵スクリーン８を設置位置Ｄから越流堰７の真後ろの待避位置Ｅに後スライド移動させるようになっている。
【００７６】
具体的には、越流堰７の上部に後方に延在する左右一対のレール２３をそれぞれ取付けるとともに、除塵スクリーン８の下部の車輪２４がレール２３でガイドされるようにする。これにより、除塵スクリーン８は、設置位置Ｄと待避位置Ｅとの間を前後スライド移動できるようになる。
【００７７】
図１７に示したように、雨水吐き室２の天井２ａに油圧シリンダー１５を取付けて、この油圧シリンダー１５のピストンロッド１５ａにワイヤーロープ１６の一端部１６ａを連結するとともに、このワイヤーロープ１６を適当な位置のプーリ１７に掛け回して、他端部１６ｂを天井２側でカウンターウエイト１８に連結する。また、ワイヤーロープ１６の途中部分に除塵スクリーン８の上部を連結する。
【００７８】
そして、除塵スクリーン８の目詰まりの前兆をセンサー等で検知すると、油圧ユニット３０の開閉弁等が開かれて油圧シリンダー１５のピストンロッド１５ａが往動可能となり、カウンターウエイト１８の重量でワイヤーロープ１６が引っ張られ、このワイヤーロープ１６によって、除塵スクリーン８が越流堰７の真後ろの待避位置Ｅに後スライド移動されるようになる。
【００７９】
このように、第８実施例の除塵スクリーン８は、移動機構１２Ｈによって、越流堰７の上部の設置位置Ｄから越流堰７の真後ろの待避位置Ｅに後スライド移動させることができるから、待避時に、越流堰７の位置において本来の越流空間Ｈを確保できるので、天井２ａの低い雨水吐き室２であっても、越流堰７の上部に除塵スクリーン８を設置できるようになる。
【００８０】
また、第８実施例の移動機構１２Ｈであれば、越流堰７の上方および側方スペースが狭い場合にも設置できるようになる。さらに、待避時に、越流堰７の位置において越流長全幅Ｗと本来の越流空間Ｈとを確保できるから、流路面積の減少を抑えることができる。また、下水道１の水圧を利用して除塵スクリーン８を待避位置Ｅに後スライド移動させることも可能になる。
【００８１】
上記実施例１〜８では、除塵スクリーン８の移動機構１２Ａ〜１２Ｈの動力減として、カウンターウエイト１８、水圧、自重等を利用したが、手動、電動（非常用電力）、手動ポンプ等を利用することもできる。
【００８２】
また、図１８に示すように、カウンターウエイト１８に代えて、アキュムレータ３１を利用することもできる。
【００８３】
すなわち、アキュムレータ３１は、図１８（ｃ）のように、一方の室３１ｂに油圧が供給されて（矢印ａ参照）保圧されると、他方の室３１ｃのガスが圧縮されるとともに、図１８（ｂ）のように、一方の室３１ｂの油圧の保圧が解除されると、他方の室３１ｃのガスが膨張して、一方の室３１ｂの油圧を排出するようになる（矢印ｂ参照）。
【００８４】
このアキュムレータ３１は、図１８のように、油圧シリンダー１５の一方の室１５ｂに接続する。
【００８５】
そして、除塵スクリーン８の目詰まりの前兆をセンサー等で検知すると、油圧ユニット３０の開閉弁等が開かれて油圧シリンダー１５のピストンロッド１５ａが復動可能になると（アキュムレータ３１の一方の室３１ｂの油圧の保圧が解除される）、アキュムレータ３１の一方の室３１ｂから排出された油圧が油圧シリンダー１５の一方の室１５ｂに供給されて、ピストンロッド１５ａが復動し、ワイヤーロープ１６が引っ張られ、このワイヤーロープ１６によって、除塵スクリーン８が越流堰７の真上の待避位置Ｅに上スライド移動されるようになる。
【００８６】
また、移動方式として、油圧シリンダーワイヤーロープ式を利用したが、ワイヤーロープウインチ式、ねじ軸とスライドナットを組み合わせたスピンドル式、ラック・ピニオン式、油圧モータワイヤーロープ式、油圧モータラック式等を利用することもできる。
【００８７】
また、図１９に示すように、ワイヤーロープを使用しないで、油圧シリンダーのみで移動させる油圧シリンダー式とすることもできる。
【００８８】
すなわち、除塵スクリーン８の両側に油圧シリンダー１５をそれぞれ取付けて、ピストンロッド１５ａを越流堰７の上部に当接させるとともに、アキュムレータ３１を油圧シリンダー１５の一方の室１５ｂに接続する。
【００８９】
そして、除塵スクリーン８の目詰まりの前兆をセンサー等で検知すると、油圧ユニット３０の開閉弁等が開かれて油圧シリンダー１５のピストンロッド１５ａが往動可能になると（アキュムレータ３１の一方の室３１ｂの油圧の保圧が解除される）、アキュムレータ３１の一方の室３１ｂから排出された油圧が油圧シリンダー１５の他方の室１５ｂに供給されて、ピストンロッド１５ａが往動し、除塵スクリーン８を越流堰７の上方に持ち上げることによって、除塵スクリーン８が越流堰７の真上の待避位置Ｅに上スライド移動されるようになる。
【００９０】
上記実施例は、合流式下水道の越流堰を例にとったが、分流式下水道の越流堰にも本発明が適用できることは言うまでもない。
【００９１】
また、上記実施例は、下水道の越流堰を例に取ったが、雨水調整池、雨水滞水池、雨水貯留管や担体処理施設の流入口、その他下水道への雨水取込口、発電取水用施設や融雪設備の取水口、農業用水路取水・分水箇所等にも本発明が適用できることは言うまでもない。
【図面の簡単な説明】
【００９２】
【図１】合流式下水道であり、（ａ）は平面図、（ｂ）は（ａ）のＡ−Ａ線断面図である。
【図２】第１実施例の移動機構の側面図である。
【図３】第２実施例の移動機構の側面図である。
【図４】第３実施例の移動機構であり、（ａ）は平面図、（ｂ）は（ａ）のＢ−Ｂ線断面図である。
【図５】第４実施例の移動機構の側面図である。
【図６】第５実施例の移動機構であり、（ａ）は平面図、（ｂ）は（ａ）のＣ−Ｃ線断面図である。
【図７】第６実施例の移動機構の側面図である。
【図８】第７実施例の移動機構の側面図である。
【図９】第８実施例の移動機構の側面図である。
【図１０】第１実施例の移動機構のシステム側面図である。
【図１１】第２実施例の移動機構のシステム側面図である。
【図１２】第３実施例の移動機構のシステム図であり、（ａ）は平面図、（ｂ）は側面図である。
【図１３】第４実施例の移動機構のシステム側面図である。
【図１４】第５実施例の移動機構のシステム側面図である。
【図１５】第６実施例の移動機構のシステム側面図である。
【図１６】第７実施例の移動機構のシステム側面図である。
【図１７】第８実施例の移動機構のシステム側面図である。
【図１８】（ａ）は、アキュムレータを動力源とした移動機構の側面図、（ｂ）（ｃ）は、アキュムレータの作動原理図である。
【図１９】油圧シリンダー式の移動機構であり、（ａ）は除塵スクリーンの設置位置の正面図、（ｂ）は除塵スクリーンの待避位置の正面図である。
【符号の説明】
【００９３】
１      合流式下水道
２      雨水吐き室
２ａ    天井
２ｂ    側壁
３      下水流入管
４      雨水流入管
５      放流管
６      遮集管
７      越流堰
８      除塵スクリーン
１２Ａ〜１２Ｈ  移動機構
１５    油圧シリンダー
１６    ワイヤーロープ
１８    カウンターウエイト
３１    アキュムレータ
Ｄ      設置位置
Ｅ      待避位置
Ｈ      本来の越流空間
Ｗ      越流長全幅
【図１】
2005030159.tif 000003
【図２】
2005030159.tif 000004
【図３】
2005030159.tif 000005
【図４】
2005030159.tif 000006
【図５】
2005030159.tif 000007
【図６】
2005030159.tif 000008
【図７】
2005030159.tif 000009
【図８】
2005030159.tif 000010
【図９】
2005030159.tif 000011
【図１０】
2005030159.tif 000012
【図１１】
2005030159.tif 000013
【図１２】
2005030159.tif 000014
【図１３】
2005030159.tif 000015
【図１４】
2005030159.tif 000016
【図１５】
2005030159.tif 000017
【図１６】
2005030159.tif 000018
【図１７】
2005030159.tif 000019
【図１８】
2005030159.tif 000020
【図１９】
2005030159.tif 000021